(57)【要約】【課題】簡易構造でありながらディスクの反りなどに起因する面振れ回転を好適に抑制することのできるディスククランプ装置の提供。【解決手段】ターンテーブル１と協同してディスクＤを挟んで回転されるディスククランプ装置であり、ターンテーブル１からディスクＤを介して回転力が与えられるクランプ盤４と、クランプ盤４の外周部に取り付けられて第１位置と第２位置との間で揺動可能とされるディスク保持部材７と、を備える。ディスク保持部材７は、前記第１位置でディスクＤの外周縁をクランプ盤４に押し付け、前記第２位置でディスクＤの外周縁から離れて該ディスクＤの外周縁よりも外側の領域に退避する爪部７Ｂを有する。又、ディスク保持部材７は、クランプ盤４の回転により発生する風圧を受けて、爪部７ＢがディスクＤの外周縁に押し付く前記第１位置に向かう揺動力を発生するフィン７Ｃを有する。【選択図】図１
2008226420.tif 000002
【特許請求の範囲】
【請求項１】
ターンテーブルと協同してディスクを挟んで回転されるディスククランプ装置であり、
前記ターンテーブルからディスクを介して回転力が与えられるクランプ盤と、
前記クランプ盤の外周部に取り付けられて第１位置と第２位置との間で揺動可能とされるディスク保持部材と、を備え、
前記ディスク保持部材は、
前記第１位置でディスクの外周縁に当接して該ディスクを前記クランプ盤に押し付け、前記第２位置でディスクの外周縁から離れて該ディスクの外周縁よりも外側の領域に退避する爪部と、
前記クランプ盤の回転により発生する風圧あるいは遠心力を受けて、前記爪部が前記第２位置から前記第１位置に向かう揺動力を発生する揺動力発生部と、を有することを特徴とするディスククランプ装置。
【発明の詳細な説明】
【技術分野】
【０００１】
本発明は、ディスク駆動装置に用いられるディスククランプ装置に係わり、特に回転すべきディスクの反りを矯正し、その回転時の面振れを抑制できるようにしたディスククランプ装置に関する。
【背景技術】
【０００２】
一般に、オーディオ情報やビジュアル情報の記録／再生に用いられるディスク駆動装置は、情報記録媒体としてのディスクをターンテーブルに載せて回転させながら、その半径方向にピックアップを移動させて情報の読み出しや書き込みを行う構成とされている。
【０００３】
ここに、ディスクをターンテーブルに固定する方法として、ターンテーブルにディスクの中心孔の周縁を押え込むチャック爪を設けたもの、あるいはターンテーブルに対向して配置されるクランプ盤によりディスクの中心部をターンテーブルに押し付けるようにしたものが知られる。
【０００４】
しかし、その何れもディスクの中心部分を保持するだけなので、ディスクの回転時に外部からの伝搬振動を受けてディスクの外周側が大きく振動してしまったり、ディスクの反りにより面振れを起こしてしまったりすることがあり、このためトラッキングサーボやフォーカスサーボといった制御系が激しく変動し、再生音にノイズを生ずるなど情報の記録／再生に支障を来たすことがあった。
【０００５】
そこで、ターンテーブルを挟んで外周にマグネットを有するクランプ盤（クランパ）とそのマグネットに吸引されるリングとを設け、そのクランプ盤とリングとにより、ターンテーブル上に置かれたディスクの外周が挟み込まれて固定されるというディスククランプ装置が提案されている（例えば、特許文献１）。
【０００６】
又、ターンテーブルと協同してディスクを挟み込むクランプ盤（クランプ部）のディスクと対向する面に、凹部と凸部とを放射状またはスパイラル状に設け、ディスク回転時に凹部内に発生する負圧によりディスクがクランプ盤に吸着するようにした装置が提案されている（例えば、特許文献２）。
【０００７】
【特許文献１】実開昭６２−２０２６４６号公報
【０００８】
【特許文献２】特開平０８−０６３８４８号公報
【発明の開示】
【発明が解決しようとする課題】
【０００９】
しかしながら、特許文献１によれば、クランプ盤やリングのほか、リングを磁力に抗してクランプ盤から離間させるためにリングを囲む断面逆Ｌ字形のリング切離片を必要とすることから、部品点数が多くコスト高になり、しかもリングを配置するときにはリング切離片を外側に押し広げなければならないので、組立作業が煩雑で作業効率の悪化を招き、リングを配置するときに切離片を破損させてしまう虞もある。
【００１０】
一方、特許文献２によれば、ディスクの反りを矯正するような負圧を発生させることは困難である。特に、凹部は外周に向かって幅広となるテーパ状にして外部に開放されるので、ディスクの外周側にはこれをクランプ盤に押し付けるに足る負圧が作用しない。よって、特許文献２では、ディスク回転時の面振れ抑制効果を然程期待することはできない。
【００１１】
本発明は以上のような事情に鑑みて成されたものであり、その目的は簡易構造でありながらディスクの反りなどに起因する面振れ回転を好適に抑制することのできるディスククランプ装置を提供することにある。
【課題を解決するための手段】
【００１２】
本発明は上記目的を達成するため、
ターンテーブル１と協同してディスクＤを挟んで回転されるディスククランプ装置であり、
ターンテーブル１からディスクＤを介して回転力が与えられるクランプ盤４と、
クランプ盤４の外周部に取り付けられて第１位置と第２位置との間で揺動可能とされるディスク保持部材７と、を備え、
そのディスク保持部材７は、
前記第１位置でディスクＤの外周縁に当接して該ディスクをクランプ盤４に押し付け、前記第２位置でディスクＤの外周縁から離れて該ディスクＤの外周縁よりも外側の領域に退避する爪部７Ｂと、
クランプ盤４の回転により発生する風圧あるいは遠心力を受けて、前記爪部７Ｂが前記第２位置から前記第１位置に向かう揺動力を発生する揺動力発生部（フィン７Ｃやウェイト）と、を有することを特徴とする。
【発明の効果】
【００１３】
本発明に係るディスククランプ装置によれば、
クランプ盤の外周部にディスク保持部材が揺動可能に取り付けられ、そのディスク保持部材に回転時のディスクの外周縁をクランプ盤に押し付ける爪部が設けられることから、ディスクの反りを矯正し、ディスクを面振れなく安定して回転させることができる。このため、トラッキングサーボやフォーカスサーボに支障を来たさず、情報の記録／再生を良好に行うことができる。
【００１４】
特に、ディスク保持部材は、クランプ盤の回転により発生する風圧あるいは遠心力を受けて爪部がディスクの外周縁に押し付く方向に揺動力を発生する揺動力発生部を有することから、マグネットなどを使用せずにディスクを均平状態でクランプすることができ、しかもターンテーブルを停止させたときには風圧、遠心力が作用しなくなることによりディスクを自動的に解放することができる。
【００１５】
又、本発明によれば、クランプ盤の外周部にディスク保持部材を付加するだけなので、簡易構造にして装置全体の組立作業を従来通り容易に行うことができる。
【発明を実施するための最良の形態】
【００１６】
以下、本発明に係るディスククランプ装置の具体的な構成例を図面に基づいて詳しく説明する。図１はディスクＤがクランプされていない状態であり、このときターンテーブル１は回転されることなく静止状態に保たれる。
【００１７】
図１において、２はターンテーブル１を一方向に回転駆動するモータ、３はディスクに情報を記録したりその記録情報を読み出したりするピックアップであり、このピックアップ３はターンテーブル１で支持されたディスクＤが回転されるとき、該ディスクＤの盤面に沿ってその半径方向に移動される。尚、ピックアップ３の移動機構は公知であるから、説明を省略する。
【００１８】
一方、４はディスク回転時にターンテーブル１と協同してディスクＤを挟み込む円盤状のクランプ盤であり、このクランプ盤４はターンテーブル１に対向する位置で装置フレーム５に回転自在に取り付けられる。尚、クランプ盤４の回転軸４Ａの外周部には、ターンテーブル１側への移動を規制する抜止め用の鍔部６が設けられる。
【００１９】
又、クランプ盤４はディスクＤより少し大きい直径を有し、ターンテーブル１と対向する面側には、ディスクＤの片面（非記録面）に押し付く内周凸部４Ｂおよび外周凸部４Ｃが形成される。その内周凸部４Ｂと外周凸部４Ｃはいずれもリング状で、ディスクＤのクランプ時には内周凸部４Ｂの内側にターンテーブル１のボス部１Ａが入り込み、外周凸部４ＣにはディスクＤの外周縁が押し付けられる。尚、クランプ盤４には、ターンテーブル１と対向する部位（回転軸４Ａの一端やその周辺）に図示せぬマグネットが設けられ、その磁力によりターンテーブル１とクランプ盤４とが互いに吸引し合い、その吸引力にてディスクＤのクランプが行われるようになっている。
【００２０】
７はクランプ盤４にディスクの外周縁を押し付けるためのディスク保持部材であり、このディスク保持部材７は、クランプ盤４の外周部に揺動可能に取り付けられる。特に、係るディスク保持部材７は、クランプ盤４の軸線と直交する軸回りで後述する第１位置と第２位置との間を揺動可能とされる。
【００２１】
図２及び図３は、ディスク保持部材７の取付部分を拡大して示した部分断面図である。尚、図２はディスク保持部材７が第１位置にある状態を示し、図３はディスク保持部７が第２位置にある状態を示している。
【００２２】
図２、図３において、７Ａはディスク保持部材７の揺動中心を成す軸部であり、その軸部７Ａは、ディスク保持部材７の取付位置におけるクランプ盤４の円周接線方向に向けられた状態でクランプ盤４に形成される図示せぬブラケットで回転自在に支持されている。
【００２３】
又、図２、図３から明らかなように、ディスク保持部材７は逆Ｌ字形の断面を有し、その一端には爪部７Ｂが一体に設けられ、他端には薄片状のフィン７Ｃが一体に設けられている。
【００２４】
フィン７Ｃは、クランプ盤４の回転により発生する風圧（空気抵抗）を受け、ディスク保持部材７に上記第２位置から上記第１位置に向かう揺動力を発生する揺動力発生部を構成するものであり、これによりディスク回転時に爪部７ＢがディスクＤの外周縁に押し付けられるようになっている。
【００２５】
つまり、クランプ盤４がディスクＤを介してターンテーブル１で回転されるとき、これによる風圧の作用により、フィン７Ｃがクランプ盤４の外周側（図２のＦ１方向）に押され、これによりディスク保持部材７を図２のＦ２方向に揺動させるような揺動力が発生する構成とされている。しかして、クランプ盤４の回転時（ディスク回転時）には、ディスク保持部材７が図２に示される第１位置に保持され、このとき爪部７ＢがディスクＤの外周縁をクランプ盤４の外周凸部４Ｃに押え付け、クランプ盤４が停止されたときにはフィン７Ｃに風圧が作用しなくなることにより、フィン７Ｃの重量によりディスク保持部材７が上記とは逆向きに揺動されて図３に示される第２位置となり、このとき爪部７ＢがディスクＤの外周縁から離れて該ディスクＤの外周縁よりも外側の領域に退避し、ディスクＤを解放するようになっている。
【００２６】
従って、反りを生じているディスクＤでも、その反りを矯正した状態で面振れなく回転させることができる。
【００２７】
又、図２から明らかなように、クランプ盤４の外周凸部４Ｃとディスク保持部材７の爪部７Ｂにはそれぞれ傾斜面４Ｃ１，７Ｂ１が形成され、ディスク保持部材７が第１位置にあってディスクＤの回転が行われるときに２つの傾斜面４Ｃ１，７Ｂ１が「ハ」の字状を呈してディスクＤの外周縁を挟み込むようにしてあるので、ディスク保持部材７でディスクＤの外周縁を押え込むときディスクＤの信号記録エリアに傷を付けてしまうことはない。
【００２８】
尚、図３のように、クランプ盤４には第２位置にあるディスク保持部材７の部位（フィン７Ｃを有する部分）が干渉せぬよう凹部４Ｄが形成されるが、フィン７Ｃの位置をクランプ盤４の厚さ方向に離間させることにより、係る凹部４Ｄを省略することもできる。
【００２９】
次に、図４はクランプ盤の平面概略図であり、図５には図４の部分拡大図を示す。図４から明らかなように、ディスク保持部材７は、クランプ盤４の周方向に所定の間隔で複数（本例において９０度間隔で４つ）設けられている。特に、それらディスク保持部材７のフィン７Ｃは、クランプ盤４の半径方向に対して傾斜し、フィン７Ｃの外周側の一端が内周側の一端よりもクランプ盤４の回転方向に向けられ、クランプ盤４の回転時に各フィン７Ｃがクランプ盤４の回転方向とは逆向きの風圧を受けてクランプ盤４の外周方向（図５のＦ１方向）に押されるようになっている。
【００３０】
このため、上記の如くクランプ盤４の回転時には、ディスク保持部材７を第２位置から第１位置に向かわせる揺動力が発生し、これによりディスク保持部材７が第１位置に保持されてディスクの外周縁がクランプ盤４の外周凸部４Ｃに押し付けられることになる。
【００３１】
図６はディスク回転時の状態を示している。この図で明らかなように、ディスクＤの回転時にはターンテーブル１とクランプ盤４とによりディスクＤが挟み込まれる。尚、このようなクランプ動作は、ターンテーブル１やピックアップ３を含むユニット全体がクランプ盤４側に移動することにより行われるが、このときクランプ盤４は上記の如くマグネットの磁力によりターンテーブル１に吸着される。但し、係るマグネットは必ずしも必要でなく、これを省略することもできるし、これに代えて板バネなどの弾性部材を用い、これによりクランプ盤４をターンテーブル１側に付勢するようにしてもよい。
【００３２】
ここに、ターンテーブル１とクランプ盤４とでディスクＤが挟み込まれただけの状態では、ディスクＤの外周縁にディスク保持部材７の爪部７Ｂが押し付かず、ディスク保持部材７は上記第２位置にあってその爪部７ＢがディスクＤの外周縁よりも外側の領域に退避している（図３参照）。
【００３３】
そして、ターンテーブル１の回転駆動により、そのターンテーブル１に磁力吸引されているクランプ盤４がディスクＤを介して同方向に回転されると、これによる風圧をフィン７Ｃが受けてディスク保持部材７が上記第２位置から図６に示される第１位置に揺動し、その爪部７ＢがディスクＤの外周縁に押し付き、以ってディスクＤの外周縁をクランプ盤４の外周凸部４Ｃに押し付けるようになる。
【００３４】
よって、ディスクＤは中心部と外周縁を保持されたまま、面振れすることなく回転されるので、ピックアップ３による情報の読み出しや書き込みを適正に行うことができ、しかもターンテーブル１を停止させれば、これに同調してクランプ盤４も停止し、このときフィン７Ｃに風圧が作用しなくなり、これによりディスク保持部材７が第２位置に復帰してディスクＤの外周縁から爪部７Ｂが離れるために、ディスクＤをターンテーブル１で支持したままクランプ盤４から離間させることができる。
【００３５】
以上、本発明に係るディスククランプ装置の構成例を図面に示して説明したが、本発明は上記のような構成に限らず、フィン７Ｃに代わる揺動力発生部として、ディスク保持部材７に金属などの比重の大きい重量物から成るウェイト（重錘）を設けるようにしてもよい。具体的には、ディスク保持部材７の軸部７Ａを挟んで爪部７Ｂとは反対側となる一端（フィン７Ｃに相当する位置）に図示せぬウェイトを固定し、そのウェイトがクランプ盤４の回転による遠心力を受けることにより、ディスク保持部材７を上記第２位置から第１位置に向かわせる揺動力が発生する構成とすることもできる。
【００３６】
これによれば、爪部７Ｂによるディスク外周縁の保持力をウェイトの重量に比例して大きくすることができるが、この場合には保持力の過大によりディスクの外周縁が押し潰されてしまうことがないような重量バランスに調整することが肝要である。
【図面の簡単な説明】
【００３７】
【図１】本発明に係るディスククランプ装置を示す説明図（ディスクの非クランプ時）
【図２】本発明に係るクランプ装置の要部拡大図（保持部材が第１位置にある状態）
【図３】本発明に係るクランプ装置の要部拡大図（保持部材が第２位置にある状態）
【図４】クランプ盤の平面概略図
【図５】図４の部分拡大図
【図６】本発明に係るディスククランプ装置を示す説明図（ディスク回転時の状態）
【符号の説明】
【００３８】
１  ターンテーブル
３  ピックアップ
４  クランプ盤
７  ディスク保持部材
７Ａ  軸部
７Ｂ  爪部
７Ｃ  フィン（揺動力発生部）
【図１】
2008226420.tif 000003
【図２】
2008226420.tif 000004
【図３】
2008226420.tif 000005
【図４】
2008226420.tif 000006
【図５】
2008226420.tif 000007
【図６】
2008226420.tif 000008